(57)【特許請求の範囲】
【請求項１】
地表面を掘り下げ、形成された凹部の底面に遮水シートを敷設し底面遮水シートとし、当該底面遮水シート面上にコンクリート基礎を打設しコンクリート基礎を形成し、当該コンクリート基礎面上に単位部材を配列して貯留空間を形成し、当該貯留空間とコンクリート基礎を一体としてその側面を遮水シートで囲み側面遮水シートとし、当該側面遮水シートと底面遮水シートとを一体化した雨水等の貯留槽において前記コンクリート基礎縁部と遮水シートとの接触を防止するため表面が滑らかな型枠を配設した雨水等の貯留槽。
【発明の詳細な説明】
【技術分野】
【０００１】
本発明は、地下に設けた貯留槽に対し地下水に起因する浮力対策を施す技術に属する。
【背景技術】
【０００２】
雨水の流出抑制を目的として、プラスチックなどで製造された容器状あるいはパイプ状部材を単位部材として地下に配置し、必要に応じあるいは単位部材に応じ適宜継ぎ手などを使用して連結し、貯留空間を確保して雨水を一時的に貯留する貯留浸透施設が普及している。この目的のために各種の形状の部材が例えば特開昭62-101097、特開昭62-126179、特開平9-296486、特開平11-43971、特開平10-115778などに提案かつ使用されている。いずれの方法も単位部材を配置しその周囲を透水性もしくは遮水性のシート類で包み、その内部空間に雨水を貯留する貯留浸透施設とするものである。
かかる貯留浸透施設は地下水位が高い場所に設置する場合、地下水の貯留空間への進入を防止するため、その底部、側面を遮水シートで覆う必要がある。通常かかる貯留浸透施設に使用する単位部材はプラスチック製であり、地下水によって施設に浮力が働き、その対策が不十分である場合には施設全体が浮き上がり、破損する事態にもなりかねない。
浮力対策の一般的な方法は浮力に対抗できるだけの土被りを設け、土の重量で浮力を抑える方法あるいは特開2001-107403、特開平10-72090に開示された外部の水を槽内に導入する方法である。
【０００３】
本発明は、浮力対策として貯留槽の重量を増加させ、遮水シートの保護を図る新規な対策を提案するものである。
【先行技術文献】
【特許文献】
【０００４】
【特許文献１】特開昭62-101097
【特許文献２】特開昭62-126179
【特許文献３】特開平9-296486
【特許文献４】特開平11-43971
【特許文献５】特開平10-115778
【特許文献６】特開2001-107403
【特許文献７】特開平10-72090
【発明の概要】
【発明が解決しようとする課題】
【０００５】
本発明は、地下貯留槽に対する浮力対策手段の提案にある。
【課題を解決するための手段】
【０００６】
本発明は、地表面を掘り下げ、形成された凹部の底面に遮水シートを敷設し底面遮水シートとし、当該底面遮水シート面上にコンクリート基礎を打設しコンクリート基礎を形成し、当該コンクリート基礎面上に単位部材を配列して貯留空間を形成し、当該貯留空間とコンクリート基礎を一体としてその側面を遮水シートで囲み側面遮水シートとし、当該側面遮水シートと底面遮水シートとを一体化した雨水等の貯留槽において前記コンクリート基礎縁部と遮水シートとの接触を防止するため表面が滑らかな型枠を配設した雨水等の貯留槽である。
コンクリート基礎と貯留空間の両方を遮水シートで覆うことで貯留槽の重量を増加し浮力対策とし、コンクリート基礎の縁部に表面が滑らかな型枠を使用し、コンクリート基礎縁部の角と遮水シートとの接触を防止することで遮水シートの破損を防いで貯留槽としての機能の保護を強化した。
【発明の効果】
【０００７】
本発明は、コンクリート基礎と貯留空間の両方を遮水シートで覆うことで貯留槽の重量を増加し、かつコンクリート打設時に表面の滑らかな部材を使用することでコンクリート基礎面縁部と遮水シートとの接触を防止したため以下の効果がある。（１）コンクリート基礎の重量が貯留槽の重量に加わり浮力に対する抵抗が増大する。（２）遮水シートとコンクリート基礎との接触を防止したため遮水シートがコンクリート基礎の縁部により破損することを防止する。
【図面の簡単な説明】
【０００８】
【図１】本発明の遮水シートとコンクリート基礎縁部との接触を防止した貯留槽の概念図である。
【図２】接触を防止する部材の一例を示す。
【図３】従来の貯留空間の下層にコンクリート基礎を設けた貯留槽の概念図である。
【図４】単位部材の例を示す。
【図５】本貯留槽を用いた雨水流出抑制施設の概念図である。
【発明を実施するための形態】
【０００９】
以下本発明を図により詳細に説明する。
図1は、本発明の遮水シートとコンクリート基礎縁部との接触を防止した貯留槽の概念図である。図1に示すとおり、本貯留槽は、地表面を掘削した凹部に設けたものであり、（１）凹部底部に遮水シートを敷設する。（２）遮水シート上にコンクリート基礎を打設する。（３）図４に示すような樹脂製あるいは金属製の単位部材を地下に配列し、雨水等を貯留する貯留空間を形成する。（４）貯留空間の少なくとも側面を遮水シートで覆う。（５）底面の遮水シートと側面の遮水シートを一体化する。さらに、（６）コンクリート基礎の縁部と遮水シートが直接接触することを防止するため、コンクリート基礎の縁部は表面が滑らかな型枠を使用している。こうすることで遮水シートはコンクリート基礎の縁部鋭角部と接触しない。
【００１０】
遮水シートを敷設し、その上にコンクリート基礎を打設することで、単位部材を配列する面を平坦とし、その配列を容易とする。さらにコンクリート基礎と貯留空間を一体として遮水シートで覆うことで、貯留槽の見かけの重量はコンクリート基礎を含むものとなる。その結果貯留槽の重量が増加し、その分貯留槽の外部に地下水が上昇してきた場合でもその浮力に対して耐えるようになる。
【００１１】
遮水シートは一般的にゴム製、塩化ビニール製などであって、角の鋭い礫などに接触すると切れ、貯留槽としての機能が発揮できなくなる。これは、礫に限らずコンクリートの角などでも同様である。
【００１２】
図２は、コンクリート基礎を形成する際に使用する型枠とそのコンクリートの打設手順を示している。遮水シートを敷設し、その上に必要に応じて平らな樹脂製などの板を敷き、コンクリートを打設する。このコンクリートの打設の際、特にそのコンクリート基礎の縁部が貯留空間に向かって立ち上がる遮水シートと接触することを防止することが重要である。そのため図に示すように平坦な板部とその端部が樋状になった型枠をコンクリート基礎の縁部に配置し、まず平坦な板の上に打設し、型枠をその重量で移動しないよう固定し、樋部に打設する。
遮水シートと接する型枠部の表面が滑らかであることが要求され型枠の形状は本例に限るものではない。
【００１３】
上記貯留空間を形成するための単位部材は図４に示すものなどが利用可能である。上記貯留空間を遮水シートで覆い貯留槽とし、埋め戻し、必要に応じて泥だめ枡、流入管、流出管、オリフィスマス等を設け雨水の流出抑制あるいは有効利用に使用することは従来の貯留槽と同様である。
【産業上の利用可能性】
【００１４】
図５に示すような雨水等の流出抑制あるいは有効利用のための槽として利用可能である。
【符号の説明】
【００１５】
１  貯留空間
２  コンクリート基礎
３  遮水シート
４  型枠
【図２】
0005742047.tif 000002
【図３】
0005742047.tif 000003
【図４】
0005742047.tif 000004
【図１】
0005742047.tif 000005
【図５】
0005742047.tif 000006